(57)【要約】【課題】    本発明は、引き出し自在のキャビネットにおいて、キャビネットの引き出しの際にもレードル類を固定した状態で収納することが可能で、更にはレードル類の出し入れが簡単に行うことのできる収納器具を提案することを目的とする。【解決手段】  本発明では、略平板状の保持部と、前記保持部を垂直状態に保ったまま奥行き方向に引出し自在に収納する収納部と、前記保持部に配置される支持部とを備えるキャビネットであり、前記支持部は、前記収納部の引出し方向に延びる引っ掛け部を有する収納部材を備え、前記引っ掛け部は、前記保持部から離間して配置されることを特徴とするキャビネットを提供する。【選択図】  図３
2008142167.tif 000002
【特許請求の範囲】
【請求項１】
略平板状の保持部と、
前記保持部を垂直状態に保ったまま奥行き方向に引出し自在に収納する収納部と、
前記保持部に配置される支持部と
を備えるキャビネットであり、
前記支持部は、前記収納部の引出し方向に延びる引っ掛け部を有する収納部材を備え、
前記引っ掛け部は、前記保持部から離間して配置される
ことを特徴とするキャビネット。
【請求項２】
複数の前記引っ掛け部は、
前記保持部からの離間距離がそれぞれ異なるよう、上下に並列に配置されており、
上方に位置する前記引っ掛け部は、
下方に位置する前記引っ掛け部よりも前記離間距離が小さくなるよう配置される
ことを特徴とする請求項１に記載のキャビネット。
【発明の詳細な説明】
【技術分野】
【０００１】
本発明は、システムキッチンのキャビネットに係り、特にレードル類の収納に好適な収納方法に関する発明である。 
【背景技術】
【０００２】
従来、システムキッチンにおいて、調味料や調理器具等を収納するために様々な収納器具を備えているものは多く存在する。調理器具の一種に、柄部と柄部の反対側の先端に本体部を備える、お玉やフライ返しのようなレードル類がある。このようなレードル類を収納するための収納器具としては、引き出し自在なキャビネットにフックを設け、レードル類の柄部に設けられた穴もしくは輪になった形状の紐をフックに掛けることで収納するというものがあった（特許文献１参照）。また、籠状の収納器具を壁面に設けているものもあった（特許文献２参照）。
【特許文献１】実用新案登録３１１００４２号公報
【特許文献２】実開平６−６２８４０号公報
【発明の開示】
【発明が解決しようとする課題】
【０００３】
しかしながら、フックに引っ掛ける方式のレードル類の収納器具は、レードル類に、フックに引っ掛ける為の穴もしくは輪になった形状の紐が付属されていないと収納できないという問題点があった。また、レードル類の出し入れの際に、フックに備えられた穴もしくは紐にレードル類を引っ掛けたり外したりするのに手間がかかり、使い勝手が悪いという問題もあった。また、特許文献１に示すような、引き出し自在なキャビネットにフックが設けてある場合には、キャビネットの出し入れの際にフックに引っ掛けたレードル類が揺れることがあった。このレードル類の揺れにより、レードル類がキャビネット等に接触してしまい、騒音が生じたりレードル類やキャビネットが傷ついたりしてしまうことがあった。また、揺れが大きい場合は、レードル類がキャビネットより落下してしまうという恐れもあった。特許文献１では、レードル類の揺れを防ぐために振止具を設けている。しかし、レードル類の出し入れの際に振止具からレードル類を取り外す必要があり、使い勝手が悪いという問題があった。
【０００４】
本発明は、上記問題を解決するためになされたもので、本発明の課題は、引き出し自在のキャビネットにおいて、キャビネットの引き出しの際にもレードル類を固定した状態で収納することが可能で、更にはレードル類の出し入れが簡単に行うことのできる収納器具を提案することにある。
【課題を解決するための手段】
【０００５】
本発明の一様態によれば、略平板状の保持部と、前記保持部を垂直状態に保ったまま奥行き方向に引出し自在に収納する収納部と、前記保持部に配置される支持部とを備えるキャビネットであり、前記支持部は、前記収納部の引出し方向に延びる引っ掛け部を有する収納部材を備え、前記引っ掛け部は、前記保持部から離間して配置されることを特徴とするキャビネットが提供される。
【発明の効果】
【０００６】
本発明によれば、引き出し自在のキャビネットにおいて、キャビネットの引き出しの際にもレードル類を固定した状態で収納することが可能で、更にはレードル類の出し入れが簡単に行うことのできる収納器具が提供される。
【発明を実施するための最良の形態】
【０００７】
以下、本発明の実施の形態を図面に示す実施例を参照して説明する。
図１は、本発明の実施の形態にかかるシステムキッチンの斜視図である。
【０００８】
システムキッチン１は、カウンター１５と、カウンター１５の上に配置されるコンロ１６と、カウンター１５の下方に配置されるフロアキャビネット１７と、フロアキャビネット１７の側方に配置されるフロアキャビネット２とを備えている。フロアキャビネット２は、フロアキャビネット２の本体部であるフロアキャビネット本体部２ａと、フロアキャビネット本体部２ａを収納するための収納部であるフロアキャビネット収納空間１０とを備えている。フロアキャビネット本体部２ａは、前板３と、保持部であるパネル４と、フロアキャビネット２をスライド移動させる為のレール５とを備えており、システムキッチン１の使用者から見て手前側に向かって、フロアキャビネット収納空間１０からフロアキャビネット本体２ａを奥行き方向に引き出すことができるよう備えられている。パネル４は、フロアキャビネット２の引出し方向を前面として、前板３の裏面に、前板３及び床面に対して垂直に取り付けられている。
【０００９】
パネル４には、お玉やフライ返し等のレードル類を収納するための支持部６と、菜ばし等を収納するための箱状ラック７と、瓶や調味量等を収納するための箱状ラック８とが、上方向に開口した状態で備えられている。支持部６は係止具９を備えており、パネル４に備わる複数の取付孔１４と係止具９とが着脱自在に係止する形で、支持部６がパネル４に取付られている。図２は、係止具９の拡大図である。パネル４の支持部６などを備えた面を前面とすると、レール５はパネル４の裏面に、床面に対し平行に取り付けられている。レール５と、フロアキャビネット収納空間１０に、床面に対し平行に取り付けられたレール(図示しない)とは、スライド自在に嵌合する。これにより、フロアキャビネット本体部２ａは、フロアキャビネット収納空間１０に、パネル４が垂直状態を保ったまま出し入れ自在に収納される。
【００１０】
図３は、支持部６の拡大図である。
支持部６は、略コの字形状のワイヤ１１ａ、１１ｂと、ワイヤ１１ｃと、ワイヤ１１ｄと、ワイヤ１１ｅと、係止具９とを備える。ワイヤ１１ａとワイヤ１１ｂとは、床面に対してワイヤ１１ａが上方、ワイヤ１１ｂが下方に位置するように配置されている。収納部材であるワイヤ１１ａとワイヤ１１ｂとは、それぞれ引っ掛け部であるワイヤ１１ａの長軸部２０ａとワイヤ１１ｂの長軸部２０ｂとを有する。ワイヤ１１ａとワイヤ１１ｂとは、それぞれ床面に対して平行に配置されており、ワイヤ１１ａの長軸部２０ａとワイヤ１１ｂの長軸部２０ｂの長さは等しい。ワイヤ１１ａとワイヤ１１ｂそれぞれの短軸部１９ａ、１９ｂの端部は、ワイヤ１１ａおよび１１ｂに対して垂直に伸びたワイヤ１１ｃによって接続されている。ワイヤ１１ｃの上下方向中央には、係止具９を取り付けるためのワイヤ１１ｅが、ワイヤ１１ａ，１１ｂと平行に備えられている。また、ワイヤ１１ａは、その長軸部２０ａからパネル４に向かって延びるワイヤ１１ｄを備えている。本実施例において、ワイヤ１１ａと、ワイヤ１１ｂと、ワイヤ１１ｃと、ワイヤ１１ｄと、ワイヤ１１ｅとは、一体的に成形されている。本実施例においては、ワイヤ１１ｄは２本備えられている。ワイヤ１１ｃの長さ、すなわちワイヤ１１ａとワイヤ１１ｂとの距離をＸとすると、本実施例でのＸは約５０ｍｍである。Ｘは、５０ｍｍプラスマイナス５ｍｍ程度であることが好ましい。ワイヤ１１ａの短軸部１９ａの長さ、すなわちワイヤ１１ａの長軸部２０ａとパネル４との離間距離である距離Ｙは、ワイヤ１１ｂの短軸部１９ｂの長さ、すなわちワイヤ１１ｂの長軸部２０ｂとパネル４との離間距離である距離Ｚより短い。本実施例では、Ｙは約２５ｍｍ、Ｚは約５０ｍｍである。
【００１１】
支持部６には、図３に示すように、コンロ廻りで使用されるお玉やフライ返し等のようなレードル類が、被収納物として収納される。本実施例においては、レードル類としてお玉１２とフライ返し１３を例にあげる。お玉１２は、柄部１２ｃと、柄部１２ｃとは反対側の端部である本体部１２ａとを備える。フライ返し１３は、柄部１３ｃと、柄部１３ｃとは反対側の端部である本体部１３ａとを備える。お玉１２の柄部１２ｃと本体部１２ａが成す角度は、フライ返し１３の柄部１３ｃと本体部１３ａが成す角度よりも比較的大きい。図４はお玉１２を、図５はフライ返し１３を、図６はお玉２１を、それぞれ支持部６に収納した際の側面図である。
【００１２】
次に、本実施例の使用シーンの例を挙げ、本実施例の作用効果を説明する。
使用者が、システムキッチンでの作業、主にコンロ前での作業を行う際、使用者はフロアキャビネット２を利用して、被収納物を出し入れすることができる。フロアキャビネット本体部２ａに設けられたレール５と、フロアキャビネット収納空間１０に設けられたレールが、パネル４は前板３と床面に対して垂直な状態を維持するよう、且つスライド自在に嵌合している。これにより、使用者はパネル４を垂直状態に保ったまま、フロアキャビネット本体部２ａを手前側に引き出したり、フロアキャビネット収納空間１０に押し入れたりすることができる。その際、フロアキャビネット本体部２ａは、パネル４の支持部６や箱状ラック７、箱状ラック８が備わった面を使用者に向けた状態で引き出されるように配置されている。そのため、使用者は、コンロ１６などを利用している際、立つ位置を変えることなくフロアキャビネット２に収納された被収納物を利用することができる。
【００１３】
まず、被収納物をフロアキャビネット２に収納する場合について説明する。その際は、まずフロアキャビネット本体部２ａをフロアキャビネット収納空間１０から手前側に引き出してから、使用した被収納物を支持部６に収納する。被収納物の支持部６への収納方法を、お玉１２およびフライ返し１３、お玉２１を収納する場合を例に挙げ説明する。
【００１４】
お玉１２を支持部６に収納する際、使用者は、支持部６のワイヤ１１ａとワイヤ１１ｂとの間に、上方向から柄部１２ｃを下としてお玉１２を差し入れることで、お玉１２を支持部６に収納することができる。図４は、支持部６にお玉１２を収納した状態の側面図である。支持部６にお玉１２が収納されている場合、お玉１２はワイヤ１１ｂとパネル４との間に位置している。柄部１２ｃと本体部１２ａが成す角度が比較的大きいお玉１２は、柄部１２ｃとワイヤ１１ｂの長軸部２０ｂとの当接点ｂ、本体部１２ａとパネル４との当接点であり、当接点ｂの上方に位置する当接点ａ、柄部１２ｃとパネル４との当接点であり、当接点ｂの下方に位置する当接点ｃとの３点にて支持されるため、安定した状態で収納されている。
【００１５】
フライ返し１３を支持部６に収納する際、使用者は、支持部６のワイヤ１１ａとパネル４との間に、上方向から柄部１３ｃを下としてフライ返し１３を差し入れることで、フライ返し１３を支持部６に収納することができる。図５は、支持部６にフライ返し１３を収納した状態の側面図である。支持部６にフライ返し１３が収納されている場合、フライ返し１３はワイヤ１１ａとパネル４との間に位置している。柄部１３ｃと本体部１３ａが成す角度が比較的小さいフライ返し１３は、柄部１３ｃとワイヤ１１ａの長軸部２０ａとの当接点ｅ、本体部１３ａとパネル４との当接点であり、当接点ｅの上方に位置する当接点ｄ、柄部１３ｃとパネル４との当接点であり、当接点ｅの下方に位置する当接点ｆとの３点にて支持されるため、安定した状態で収納される。
【００１６】
また、図６は、支持部６にお玉２１を収納した状態を示す側面図である。お玉２１は、柄部２１ｃと、柄部２１ｃとは反対側の端部である本体部２１ａとを備える。お玉２１の柄部２１ｃと本体部２１ａが成す角度は、お玉１２が成す角度よりも小さく、フライ返し１３が成す角度よりも大きい。お玉２１を支持部６に収納する際、使用者は、お玉１２を収納する際と同様に、支持部６のワイヤ１１ａとワイヤ１１ｂとの間に、上方向から柄部２１ｃを下としてお玉２１を差し入れることで、お玉２１を支持部６に収納することができる。支持部６にお玉２１が収納されている場合、お玉２１はワイヤ１１ａとワイヤ１１ｂとの間に位置している。お玉２１は、柄部２１ｃとワイヤ１１ｂの長軸部２０ｂとの当接点ｈ、本体部２１ａとワイヤ１１ａの長軸部２０ａとの当接点であり、当接点ｈの上方に位置する当接点ｇ、柄部２１ｃとパネル４との当接点であり、当接点ｈの下方に位置する当接点ｉとの３点にて支持されるため、安定した状態で収納される。
【００１７】
このように、お玉１２やフライ返し１３、お玉２１のような被収納物は、支持部６とパネル４によって支持されているため、特許文献１に示すようなフック状の収納器具と違い、被収納物にフックに引っ掛けるための穴や輪になった形状の紐を必要としない。そのため、多くの種類の被収納物を収納することができ、使い勝手が良い。更に、被収納物を支持部６に収納する際、上方向から被収納物を差し入れるだけで収納できるため、フックや振止具に収納する手間がいらず、使い勝手は更に向上することとなる。
【００１８】
支持部６に被収納物を収納した後、フロアキャビネット本体部２ａをフロアキャビネット収納空間１０に押し入れる。被収納物は支持部とパネル４によって３点で支持された状態を保っているため、フロアキャビネット本体部２ａを押し入れる際に、被収納物が揺れ動くことはない。そのため、揺れによる落下、被収納物とパネル４の接触による騒音、被収納物やパネル４の損傷などの不具合を防ぐことができる。
【００１９】
また、本実施例においては、被収納物を収納するための支持部６において、ワイヤ１１ａとワイヤ１１ｂとは、その端部を垂直なワイヤ１１ｃによって接続されており、上下方向に並列し且つ平行に位置するよう配置されている。また、支持部６において、ワイヤ１１ａの長軸部２０ａとパネル４との距離Ｙと、ワイヤ１１ｂの長軸部２０ｂとパネル４との距離Ｚとはそれぞれ異なっているおり、距離Ｙは距離Ｚよりも比較的狭い。図７は、本発明の実施の形態にかかる支持部６のパネル４とワイヤ１１ａとの間にお玉１２を収納した場合を示す側面図である。比較的角度の大きい被収納物であるお玉１２を収納する際、比較的狭いワイヤ１１ａとパネル４との間に収納しようとすると、お玉１２は、柄部１２ｃとワイヤ１１ａとの当接点Ｂ、本体部１２ａとパネル４との当接点Ａ、柄部１２ｃとパネル４との当接点Ｃとの３点で支持される。しかし、当接点Ａと当接点Ｃは、それぞれ図４に示す当接点ａおよび当接点ｃよりも上方に位置することとなる。また、当接点Ｂは、図４に示す当接点ｂに比べて、柄部１２ｃの下方に位置することとなる。つまり、お玉１２のように重心が本体部１２ａ側に偏った収納物の場合、当接点Ａ、Ｂの距離が当接点Ｂ、Ｃの距離より長くなり、不安定になってしまう。つまり、お玉１２が支持部６に収納された際、重心が上部に偏り安定性が極めて悪く、ちょっとした衝撃で支持部６から滑落してしまう恐れがある。そのため、比較的角度の大きい被収納物であるお玉１２は、比較的広いワイヤ１１ｂとパネル４との間に収納するのがよい。また、比較的角度の小さい被収納物であるフライ返し１３を収納する際、比較的広いワイヤ１１ｂとパネル４との間に収納しようとすると、フライ返し１３がワイヤ１１ｂまたは支持部６と当接することができず、３点による支持ができず落ちてしまうことがある。そのため、比較的角度の小さい被収納物であるフライ返し１３は、比較的狭いワイヤ１１ａとパネル４との間に収納するのがよい。また、お玉２１のように、本体部と柄部の成す角度が、お玉１２よりも小さくフライ返し１３よりも大きいようなレードル類は、本体部２１ａがワイヤ１１ａの長軸部２０ａと当接した状態で３点による支持できるのならば、ワイヤ１１ｂとパネル４との間に収納するのがよい。使用者は、収納するレードル類の角度や長さによって、支持部６への収納方法を適宜選択することができる。
【００２０】
次に、フロアキャビネット２に収納した被収納物を使用する場合について説明する。
この場合、使用者は、フロアキャビネット本体部２ａをスライド移動にて手前に引き出す。この場合も、被収納物は支持部６とパネル４によって３点で支持された状態を保っているため、フロアキャビネット本体部２ａを引き出す際に、被収納物が揺れ動くことはない。そのため、揺れによる落下、被収納物とパネル４の接触による騒音、被収納物やパネル４の損傷などの不具合を防ぐことができる。使用者は、フロアキャビネット本体部２ａを引き出した後、支持部６に収納された被収納物を取り出す。被収納物は、支持部６とパネル４によって３点で支持されているが、固定されているわけではない。そのため、使用者は、支持部６の上方向から被収納物を掴み、上方向に引き出すだけで簡単に取り出すことができる。上方向に引き出すだけなので、使用者は被収納物を取り出す際、特許文献１のように振止具やフックから被収納物を取り外す必要もなく、容易に取り出すことが可能である。
【００２１】
このように、本実施例の形態によれば、お玉やフライ返しのような被収納物を支持部６とパネル４に当接することで支持した状態で収納することにより、被収納物にフックに引っ掛けるための穴や紐を必要としないため、より多くの種類の被収納物を収納することができる。また、被収納物の収納の際には、支持部６の上方向より被収納物を差し入れるだけで収納することができ、取り出す際も上方向から被収納物を掴んで引き出すだけでよい。すなわち、本実施例によれば、被収納物の出し入れを容易に行うことができる。また、被収納物は、収納状態において、支持部６とパネル４によって３点で支持されている。このように、安定した状態で被収納物が収納されているため、フロアキャビネット本体部２ａを出し入れする際にも被収納物が揺れ動くことはなく、被収納物とパネル４との接触による騒音や損傷、被収納物の落下を防ぐことができる。また、パネル４からの離間距離の異なるワイヤ１１ａと１１ｂを上下方向に並列に配置することにより、角度の異なる被収納物も収納することができ、使い勝手が向上する。
【００２２】
また、本実施例においては、支持部６には係止具９が備えられている。これにより、複数の取付孔１４を持つパネル４に、支持部６が自由に着脱できるため、支持部６の取り付け位置を自由に変更できる。それにより、使用者によって使い勝手の良い環境を作ることが可能となる。
【００２３】
以上、具体例を参照しつつ本発明の実施形態について説明した。しかし、本発明はこれら具体例に限定されるものではない。本発明の要旨を変更しない範囲において適宜設計変更して採用したものも、本発明の要旨を有する限りにおいて本発明の範囲に包含される。
【図面の簡単な説明】
【００２４】
【図１】本発明の実施の形態にかかるシステムキッチン１の斜視図である。
【図２】本発明の実施の形態にかかる係止具９を示す拡大図である。
【図３】本発明の実施の形態にかかる支持部６を示す拡大図である。
【図４】本発明の実施の形態にかかる支持部６にお玉１２を収納した場合を示す側面図である    。
【図５】本発明の実施の形態にかかる支持部６にフライ返し１３を収納した場合を示す側面図    である。
【図６】本発明の実施の形態にかかる支持部６にお玉２１を収納した場合を示す側面図である    。
【図７】本発明の実施の形態にかかる支持部６のパネル４とワイヤ１１ａとの間にお玉１２を    収納した場合を示す側面図である。
【符号の説明】
【００２５】
１…システムキッチン
２…フロアキャビネット
２ａ…フロアキャビネット本体部
３…前板
４…パネル
５…レール
６…支持部
７…箱状ラック
８…箱状ラック
９…係止具
１０…フロアキャビネット収納空間
１１ａ…ワイヤ
１１ｂ…ワイヤ
１１ｃ…ワイヤ
１１ｄ…ワイヤ
１１ｅ…ワイヤ
１２…お玉
１２ａ…本体部
１２ｃ…柄部
１３…フライ返し
１３ａ…本体部
１３ｃ…柄部
１４…取付孔
１５…カウンター
１６…コンロ
１７…フロアキャビネット
１９ａ…短軸部
１９ｂ…短軸部
２０ａ…長軸部
２０ｂ…長軸部
２１…お玉
２１ａ…本体部
２１ｃ…柄部
ａ…当接点
ｂ…当接点
ｃ…当接点
ｄ…当接点
ｅ…当接点
ｆ…当接点
ｇ…当接点
ｈ…当接点
ｉ…当接点
Ａ…当接点
Ｂ…当接点
Ｃ…当接点
Ｘ…距離
Ｙ…距離
Ｚ…距離
【図１】
2008142167.tif 000003
【図２】
2008142167.tif 000004
【図３】
2008142167.tif 000005
【図４】
2008142167.tif 000006
【図５】
2008142167.tif 000007
【図６】
2008142167.tif 000008
【図７】
2008142167.tif 000009